(57)【要約】  本発明は、中継リソースの設定方法及び装置に関する。該方法は、中継装置のアクセス対象装置に適用され、該中継装置の時間窓リソース情報、バックホールリソース情報、及びアクセスリンクリソース情報のうち、少なくとも１つを運ぶ中継リソース設定メッセージを中継装置に送信するステップを含む。
2021520134.tif 000002
【特許請求の範囲】
【請求項１】
中継装置のアクセス対象装置における、中継リソースの設定方法であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを前記中継装置に送信するステップを含む、方法。
【請求項２】
前記対象装置は、スタンドアロン型ドナーアクセスバックホール統合ＤＩＡＢ（Ｄｏｎｏｒ  Ｉｎｔｅｇｒａｔｅｄ  Ａｃｃｅｓｓ  ａｎｄ  Ｂａｃｋｈａｕｌ）装置であり、前記中継装置は、スタンドアロン型アクセスバックホール統合ＩＡＢ(Ｉｎｔｅｇｒａｔｅｄ  Ａｃｃｅｓｓ  ａｎｄ  Ｂａｃｋｈａｕｌ)装置であり、
又は、前記対象装置は、ＩＡＢの集約ユニットＣＵ（Ｃｅｎｔｒａｌｉｚｅｄ  Ｕｎｉｔ）であり、前記中継装置は、前記ＩＡＢの分散ユニットＤＵ（Ｄｉｓｔｒｉｂｕｔｅｄ  Ｕｎｉｔ）であり、
又は、前記対象装置は、ＤＩＡＢのＣＵであり、前記中継装置は前記ＤＩＡＢのＤＵであり、
又は、前記対象装置は、ＤＩＡＢのＣＵであり、前記中継装置は前記ＤＩＡＢにアクセスするＩＡＢ内のＣＵである、請求項１に記載の方法。
【請求項３】
前記対象装置がＤＩＡＢの集約ユニットＣＵである場合、中継装置に中継リソース設定メッセージを送信する前に、前記方法はさらに、
前記ＤＩＡＢのＩＡＢによって報告された中継リソース要求情報に基づいて、前記ＤＩＡＢのＤＵの中継リソース及び／又は前記ＤＩＡＢのＩＡＢの中継リソースを決定するステップを含む、請求項２に記載の方法。
【請求項４】
中継リソース設定メッセージを送信する送信時間リソースは、前記中継リソース設定メッセージによって設定された最初の時間リソースよりも前にあり、かつ前記送信時間リソースと前記最初の時間リソースとの間の時間間隔は、バックホール遅延と前記中継装置の内部処理遅延とに基づいて決定される、請求項１〜３のいずれか１項に記載の方法。
【請求項５】
前記バックホール遅延は、前記対象装置及び／又は前記中継装置の評価によって決定される、請求項４に記載の方法。
【請求項６】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含む、請求項１〜３のいずれか１項に記載の方法。
【請求項７】
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと、
前記中継装置から前記下位中継装置へのバックホールリソースとを含む、請求項１〜３のいずれか１項に記載の方法。
【請求項８】
前記中継リソース設定メッセージで設定された第１のリソースのキャリアタイプが周波数分割複信ＦＤＤ下りキャリアである場合、前記中継リソース設定メッセージは、前記第１のリソースの時間領域リソースが下りバックホール時間領域リソース、又は下り非バックホール時間領域リソースであることをさらに指示し、
前記中継リソース設定メッセージで設定された第２のリソースのキャリアタイプがＦＤＤ上りキャリアである場合、前記中継リソース設定メッセージは、前記第２のリソースの時間領域リソースが上りバックホール時間領域リソース、又は上り非バックホール時間領域リソースであることをさらに指示し、
前記中継リソース設定メッセージで設定された第３のリソースのキャリアタイプが時分割複信ＴＤＤキャリアである場合、前記中継リソース設定メッセージは、前記第３のリソースの時間領域リソースが上りバックホール時間領域リソース、下りバックホール時間領域リソース、又は非バックホール時間領域リソースであることをさらに指示する、請求項１〜４のいずれか一項に記載の方法。
【請求項９】
前記中継リソース設定メッセージが前記第３のリソースの時間領域リソースが非バックホール時間領域リソースであることを指示する場合、前記中継リソース設定メッセージは、前記第３のリソースが下り非バックホール時間領域リソース、上り非バックホール時間領域リソース、又は上り下り可変非バックホール時間領域リソースであることをさらに指示する、請求項８に記載の方法。
【請求項１０】
前記時間窓は、前記中継装置に予め割り当てられ、
又は、前記時間窓は、前記対象装置によって前記中継装置のために設定される、請求項１〜９のいずれか１項に記載の方法。
【請求項１１】
無線リソース制御ＲＲＣ又は媒体アクセス制御層制御要素ＭＡＣ  ＣＥにより、前記中継装置の利用可能な時間窓リソースを再設定するための時間窓再設定メッセージを、前記中継装置に送信するステップをさらに含み、
前記時間窓リソースは、時間窓インデックス又は時間窓ビットマップ（ｂｉｔｍａｐ）によって指示される、請求項１０記載の方法。
【請求項１２】
中継装置における、中継リソースの設定方法であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを受信するステップと、  
前記中継リソース設定メッセージに基づいて、前記中継装置のバックホール（ｂａｃｋｈａｕｌ）リソース及び／又はアクセスリンク（ａｃｃｅｓｓ  ｌｉｎｋ）リソースを設定するステップとを含む、方法。
【請求項１３】
前記中継装置は、スタンドアロン型アクセスバックホール統合ＩＡＢ(Ｉｎｔｅｇｒａｔｅｄ  Ａｃｃｅｓｓ  ａｎｄ  Ｂａｃｋｈａｕｌ)装置であり、前記中継装置のアクセス対象装置は、前記ＩＡＢ装置がアクセスするスタンドアロン型ドナーアクセスバックホール統合ＤＩＡＢ（Ｄｏｎｏｒ  Ｉｎｔｅｇｒａｔｅｄ  Ａｃｃｅｓｓ  ａｎｄ  Ｂａｃｋｈａｕｌ）装置であり、
又は、前記中継装置は、ＩＡＢの分散ユニット（Ｄｉｓｔｒｉｂｕｔｅｄ  Ｕｎｉｔ）ＤＵであり、前記対象装置は、前記ＩＡＢの集約ユニットＣＵ（Ｃｅｎｔｒａｌｉｚｅｄ  Ｕｎｉｔ）であり、
又は、前記中継装置はＤＩＡＢのＤＵであり、前記対象装置は、前記ＤＩＡＢのＣＵであり、
又は、前記中継装置はＩＡＢ内のＣＵであり、前記対象装置は、前記ＩＡＢがアクセスするＤＩＡＢのＣＵである、請求項１２に記載の方法。
【請求項１４】
前記中継装置がＩＡＢ内のＣＵであり、前記対象装置が前記ＩＡＢがアクセスするＤＩＡＢのＣＵである場合、前記中継リソース設定メッセージを受信する前に、前記方法は、
前記対象装置が前記対象装置におけるＤＵ及び／又はＩＡＢの中継リソースの設定を調整するための前記ＩＡＢの中継リソース要求情報を、前記対象装置に送信するステップをさらに含む、請求項１３に記載の方法。
【請求項１５】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含む、請求項１２〜１４のいずれか一項に記載の方法。
【請求項１６】
前記中継リソース設定メッセージに基づいて、前記中継装置のバックホールリソース及び／又はアクセスリンクリソースを設定するステップは、
前記中継リソース設定メッセージが、時間窓内の前記対象装置から前記中継装置への第１のバックホールリソース情報を運ぶ場合、前記第１のバックホールリソース情報に基づいて、中継装置の下りバックホールリソースを設定するステップ、
又は、前記中継リソース設定メッセージが、時間窓内の前記中継装置から前記対象装置への第２のバックホールリソース情報を運ぶ場合、前記第２のバックホールリソース情報に基づいて、中継装置の上りバックホールリソースを設定するステップを含む、請求項１５に記載の方法。
【請求項１７】
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと
前記中継装置から前記下位中継装置へのバックホールリソースとを含む、請求項１２〜１４のいずれか一項に記載の方法。
【請求項１８】
前記中継リソース設定メッセージに基づいて、前記中継装置のバックホールリソース及び／又はアクセスリンクリソースを設定するステップは、
前記中継リソース設定メッセージが、時間窓内のバックホール送信用と指示されていないリソース情報を運ぶ場合、前記時間窓内のバックホール送信用と指示されていないリソース情報に基づいて、中継装置のアクセスリンクリソースを設定するステップ、
又は、前記中継リソース設定メッセージが、前記中継装置にアクセスする端末装置から前記中継装置への第１のアクセスリンクリソース情報を運ぶ場合、前記第１のアクセスリンクリソース情報に基づいて、前記中継装置の上りアクセスリンクリソースを設定するステップ、
又は、前記中継リソース設定メッセージが、前記中継装置から、前記中継装置にアクセスする端末装置への第２のアクセスリンクリソース情報を運ぶ場合、前記第２のアクセスリンクリソース情報に基づいて、前記中継装置の下りアクセスリンクリソースを設定するステップ、
又は、前記中継リソース設定メッセージが、前記中継装置にアクセスする下位中継装置から前記中継装置への第３のバックホールリソース情報を運ぶ場合、前記第３のバックホールリソース情報に基づいて、前記下位中継装置の上りバックホールリソースを設定するステップ、
又は、前記中継リソース設定メッセージが、前記中継装置から前記下位中継装置への第４のバックホールリソース情報を運ぶ場合、前記第４のバックホールリソース情報に基づいて、前記下位中継装置の下りバックホールリソースを設定するステップを含む、請求項１７に記載の方法。
【請求項１９】
前記中継リソース設定メッセージに基づいて、前記中継装置のバックホールリソース及び／又はアクセスリンクリソースを設定するステップは、
前記中継リソース設定メッセージで設定された第１のリソースのキャリアタイプが周波数分割複信ＦＤＤ下りキャリアであり、かつ、前記中継ソース設定メッセージが、さらに前記第１のリソースの時間領域リソースが下りバックホール時間領域リソースであることを指示する場合、前記第１のリソースを、前記中継装置の下りバックホール時間領域リソースとして設定するステップ、
又は、前記中継ソース設定メッセージで設定された第２のリソースのキャリアタイプが周波数分割複信ＦＤＤ下りキャリアであり、かつ、前記中継ソース設定メッセージが、さらに前記第２のリソースの時間領域リソースが下り非バックホール時間領域リソースであることを指示する場合、前記第２のリソースを、前記中継装置の下り非バックホール時間領域リソースとして設定するステップ、
又は、前記中継ソース設定メッセージで設定された第３のリソースのキャリアタイプがＦＤＤ上りキャリアであり、かつ前記中継ソース設定メッセージが、さらに前記第３のリソースの時間領域リソースが上りバックホール時間領域リソースであることを指示する場合、前記第３のリソースを、前記中継装置の上りバックホール時間領域リソースとして設定するステップ、
又は、前記中継ソース設定メッセージで設定された第４のリソースのキャリアタイプがＦＤＤ上りキャリアであり、かつ前記中継ソース設定メッセージが、さらに前記第４のリソースの時間領域リソースが上り非バックホール時間領域リソースであることを指示する場合、前記第４のリソースを、前記中継装置の上り非バックホール時間領域リソースとして設定するステップ、
又は、前記中継リソース設定メッセージで設定された第５のリソースのキャリアタイプが時分割複信ＴＤＤキャリアであり、かつ前記中継リソース設定メッセージが、さらに前記第５のリソースの時間領域リソースが上りバックホール時間領域リソースであることを指示する場合、前記第５のリソースを、前記中継装置の上りバックホール時間領域リソースとして設定するステップ、
又は、前記中継リソース設定メッセージで設定された第６のリソースのキャリアタイプが時分割複信ＴＤＤキャリアであり、かつ前記中継リソース設定メッセージが、さらに前記第６のリソースの時間領域リソースが下りバックホール時間領域リソースであることを指示する場合、前記第６のリソースを、前記中継装置の下りバックホール時間領域リソースとして設定するステップ、
又は、前記中継リソース設定メッセージで設定された第７のリソースのキャリアタイプが時分割複信ＴＤＤキャリアであり、かつ前記中継リソース設定メッセージが、さらに前記第７のリソースの時間領域リソースが非バックホール時間領域リソースであることを指示する場合、前記第７のリソースを、前記中継装置のアクセスリンク時間領域リソースとして設定するステップを含む、請求項１７に記載の方法。
【請求項２０】
前記中継リソース設定メッセージに基づいて、前記中継装置のバックホールリソース及び／又はアクセスリンクリソースを設定するステップは、
前記中継リソース設定メッセージが、前記第７のリソースの時間領域リソースが非バックホール時間領域リソースであることを指示する場合、前記第７のリソースを、前記中継装置の下りアクセスリンク時間領域リソース、上りアクセスリンク時間領域リソース、又は、上り下り可変アクセスリンク時間領域リソースとして設定するステップを含む、請求項１９に記載の方法。
【請求項２１】
中継装置がアクセスする装置であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを前記中継装置に送信するための第１の送信モジュールを備える、装置。
【請求項２２】
前記装置はスタンドアロン型ドナーアクセスバックホール統合ＤＩＡＢ（Ｄｏｎｏｒ  Ｉｎｔｅｇｒａｔｅｄ  Ａｃｃｅｓｓ  ａｎｄ  Ｂａｃｋｈａｕｌ）装置であり、前記中継装置は、スタンドアロン型アクセスバックホール統合ＩＡＢ(Ｉｎｔｅｇｒａｔｅｄ  Ａｃｃｅｓｓ  ａｎｄ  Ｂａｃｋｈａｕｌ)装置であり、
又は、前記装置は、ＩＡＢの集約ユニットＣＵ（Ｃｅｎｔｒａｌｉｚｅｄ  Ｕｎｉｔ）であり、前記中継装置は、前記ＩＡＢの分散ユニットＤＵ（Ｄｉｓｔｒｉｂｕｔｅｄ  Ｕｎｉｔ）であり、
又は、前記装置は、ＤＩＡＢのＣＵであり、前記中継装置は前記ＤＩＡＢのＤＵであり、
又は、前記装置は、ＤＩＡＢのＣＵであり、前記中継装置は前記ＤＩＡＢにアクセスするＩＡＢ内のＣＵである、請求項２１に記載の装置。
【請求項２３】
前記装置がＤＩＡＢの集約ユニットＣＵである場合、中継装置に中継リソース設定メッセージを送信する前に、前記方法はさらに、
前記ＤＩＡＢのＩＡＢによって報告された中継リソース要求情報に基づいて、前記ＤＩＡＢのＤＵの中継リソース及び／又は前記ＤＩＡＢのＩＡＢの中継リソースを決定するステップを含む、請求項２２に記載の装置。
【請求項２４】
中継リソース設定メッセージを送信する送信時間リソースは、前記中継リソース設定メッセージによって設定された最初の時間リソースよりも前にあり、かつ前記送信時間リソースと前記最初の時間リソースとの間の時間間隔は、バックホール遅延と前記中継装置の内部処理遅延とに基づいて決定される、請求項２１〜２３のいずれか一項に記載の装置。
【請求項２５】
前記バックホール遅延は、前記装置及び／又は前記中継装置の評価によって決定される、請求項２４に記載の装置。
【請求項２６】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含む、請求項２１〜２３のいずれか一項に記載の装置。
【請求項２７】
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと、
前記中継装置から前記下位中継装置へのバックホールリソースとを含む、請求項２１〜２３のいずれか一項に記載の装置。
【請求項２８】
前記中継リソース設定メッセージで設定された第１のリソースのキャリアタイプが周波数分割複信ＦＤＤ下りキャリアである場合、前記中継リソース設定メッセージは、前記第１のリソースの時間領域リソースが下りバックホール時間領域リソース、又は下り非バックホール時間領域リソースであることをさらに指示し、
前記中継リソース設定メッセージで設定された第２のリソースのキャリアタイプがＦＤＤ上りキャリアである場合、前記中継リソース設定メッセージは、前記第２のリソースの時間領域リソースが上りバックホール時間領域リソース、又は上り非バックホール時間領域リソースであることをさらに指示し、
前記中継リソース設定メッセージで設定された第３のリソースのキャリアタイプが時分割複信ＴＤＤキャリアである場合、前記中継リソース設定メッセージは、前記第３のリソースの時間領域リソースが上りバックホール時間領域リソース、下りバックホール時間領域リソース、又は非バックホール時間領域リソースであることをさらに指示する、請求項２１〜２４のいずれか一項に記載の装置。
【請求項２９】
前記中継リソース設定メッセージが前記第３のリソースの時間領域リソースが非バックホール時間領域リソースであることを指示する場合、前記中継リソース設定メッセージは、前記第３のリソースが下り非バックホール時間領域リソース、上り非バックホール時間領域リソース、又は上り下り可変非バックホール時間領域リソースであることをさらに指示する、請求項２８に記載の装置。
【請求項３０】
前記時間窓は、前記中継装置に予め設定され、
又は、前記時間窓は、前記装置によって前記中継装置のために設定される、
請求項２１〜２９のいずれか一項に記載の装置。
【請求項３１】
無線リソース制御ＲＲＣ又は媒体アクセス制御層制御要素ＭＡＣ  ＣＥにより、前記中継装置の利用可能な時間窓リソースを再設定するための時間窓再設定メッセージを、前記中継装置に送信するための第２の送信モジュールを備え、
前記時間窓リソースは、時間窓インデックス又は時間窓ビットマップｂｉｔｍａｐによって指示される、請求項３０記載の装置。
【請求項３２】
前記中継装置の時間窓リソース情報、バックホールｂａｃｋｈａｕｌリソース情報、及びアクセスリンクａｃｃｅｓｓ  ｌｉｎｋリソース情報のうち、少なくとも１つを運ぶ中継リソース設定メッセージを受信する受信モジュールと、
前記中継リソース設定メッセージに基づいて、前記中継装置のバックホールｂａｃｋｈａｕｌリソース及び／又はアクセスリンクａｃｃｅｓｓ  ｌｉｎｋリソースを設定する設定モジュールとを備える、中継装置。
【請求項３３】
前記中継装置は、スタンドアロン型アクセスバックホール統合ＩＡＢ装置であり、前記中継装置のアクセス対象装置は前記ＩＡＢ装置がアクセスするスタンドアロン型ドナーアクセスバックホール統合ＤＩＡＢ装置であり、
又は、前記中継装置は、ＩＡＢの分散ユニットＤＵであり、前記対象装置は、前記ＩＡＢの集約ユニットＣＵであり、
又は、前記中継装置はＤＩＡＢのＤＵであり、前記対象装置は、前記ＤＩＡＢのＣＵであり、
又は、前記中継装置はＩＡＢ内のＣＵであり、前記対象装置は、前記ＩＡＢがアクセスするＤＩＡＢのＣＵである、請求項３２に記載の中継装置。
【請求項３４】
前記中継装置がＩＡＢ内のＣＵであり、前記対象装置が前記ＩＡＢがアクセスするＤＩＡＢのＣＵである場合、前記中継装置は、
前記対象装置が前記対象装置におけるＤＵ及び／又はＩＡＢの中継リソースの設定を調整するための前記ＩＡＢの中継リソース要求情報を、前記対象装置に送信する送信モジュールをさらに備える、請求項３３に記載の中継装置。
【請求項３５】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含む、
請求項３２〜３４のいずれか一項に記載の中継装置。
【請求項３６】
前記設定モジュールは、具体的に、
前記中継リソース設定メッセージが、時間窓内の前記対象装置から前記中継装置への第１のバックホールリソース情報を運ぶ場合、前記第１のバックホールリソース情報に基づいて、中継装置の下りバックホールリソースを設定すること、
又は、前記中継リソース設定メッセージが、時間窓内の前記中継装置から前記対象装置への第２のバックホールリソース情報を運ぶ場合、前記第２のバックホールリソース情報に基づいて、中継装置の上りバックホールリソースを設定することに用いられる、請求項３５に記載の中継装置。
【請求項３７】
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと
前記中継装置から前記下位中継装置へのバックホールリソースとを含む、
請求項３２〜３４のいずれか一項に記載の中継装置。
【請求項３８】
前記設定モジュールは、具体的に、
前記中継リソース設定メッセージが、時間窓内のバックホール送信用と指示されていないリソース情報を運ぶ場合、前記時間窓内のバックホール送信用と指示されていないリソース情報に基づいて、中継装置のアクセスリンクリソースを設定すること、
又は、前記中継リソース設定メッセージが、前記中継装置にアクセスする端末装置から前記中継装置への第１のアクセスリンクリソース情報を運ぶ場合、前記第１のアクセスリンクリソース情報に基づいて、前記中継装置の上りアクセスリンクリソースを設定すること、
又は、前記中継リソース設定メッセージが、前記中継装置から、前記中継装置にアクセスする端末装置への第２のアクセスリンクリソース情報を運ぶ場合、前記第２のアクセスリンクリソース情報に基づいて、前記中継装置の下りアクセスリンクリソースを設定すること、
又は、前記中継リソース設定メッセージが、前記中継装置にアクセスする下位中継装置から前記中継装置への第３のバックホールリソース情報を運ぶ場合、前記第３のバックホールリソース情報に基づいて、前記下位中継装置の上りバックホールリソースを設定すること、
又は、前記中継リソース設定メッセージが、前記中継装置から前記下位中継装置への第４のバックホールリソース情報を運ぶ場合、前記第４のバックホールリソース情報に基づいて、前記下位中継装置の下りバックホールリソースを設定することに用いられる、請求項３７に記載の中継装置。
【請求項３９】
前記設定モジュールは、さらに具体的に、
前記中継リソース設定メッセージで設定された第１のリソースのキャリアタイプが周波数分割複信ＦＤＤ下りキャリアであり、かつ、前記中継ソース設定メッセージが、さらに前記第１のリソースの時間領域リソースが下りバックホール時間領域リソースであることを指示する場合、前記第１のリソースを、前記中継装置の下りバックホール時間領域リソースとして設定すること、
又は、前記中継ソース設定メッセージで設定された第２のリソースのキャリアタイプが周波数分割複信ＦＤＤ下りキャリアであり、かつ、前記中継ソース設定メッセージが、さらに前記第２のリソースの時間領域リソースが下り非バックホール時間領域リソースであることを指示する場合、前記第２のリソースを、前記中継装置の下り非バックホール時間領域リソースとして設定すること、
又は、前記中継ソース設定メッセージで設定された第３のリソースのキャリアタイプがＦＤＤ上りキャリアであり、かつ前記中継ソース設定メッセージが、さらに前記第３のリソースの時間領域リソースが上りバックホール時間領域リソースであることを指示する場合、前記第３のリソースを、前記中継装置の上りバックホール時間領域リソースとして設定すること、
又は、前記中継ソース設定メッセージで設定された第４のリソースのキャリアタイプがＦＤＤ上りキャリアであり、かつ前記中継ソース設定メッセージが、さらに前記第４のリソースの時間領域リソースが上り非バックホール時間領域リソースであることを指示する場合、前記第４のリソースを、前記中継装置の上り非バックホール時間領域リソースとして設定すること、
又は、前記中継リソース設定メッセージで設定された第５のリソースのキャリアタイプが時分割複信ＴＤＤキャリアであり、かつ前記中継リソース設定メッセージが、さらに前記第５のリソースの時間領域リソースが上りバックホール時間領域リソースであることを指示する場合、前記第５のリソースを、前記中継装置の上りバックホール時間領域リソースとして設定すること、
又は、前記中継リソース設定メッセージで設定された第６のリソースのキャリアタイプが時分割複信ＴＤＤキャリアであり、かつ前記中継リソース設定メッセージが、さらに前記第６のリソースの時間領域リソースが下りバックホール時間領域リソースであることを指示する場合、前記第６のリソースを、前記中継装置の下りバックホール時間領域リソースとして設定すること、
又は、前記中継リソース設定メッセージで設定された第７のリソースのキャリアタイプが時分割複信ＴＤＤキャリアであり、かつ前記中継リソース設定メッセージが、さらに前記第７のリソースの時間領域リソースが非バックホール時間領域リソースであることを指示する場合、前記第７のリソースを、前記中継装置のアクセスリンク時間領域リソースとして設定することに用いられる、請求項３７に記載の中継装置。
【請求項４０】
前記設定モジュールは、具体的に、前記中継リソース設定メッセージが、前記第７のリソースの時間領域リソースが非バックホール時間領域リソースであることを指示する場合、前記第７のリソースを、前記中継装置の下りアクセスリンク時間領域リソース、上りアクセスリンク時間領域リソース、又は、上り下り可変アクセスリンク時間領域リソースとして設定することに用いられる、請求項３９に記載の中継装置。
【請求項４１】
中継装置がアクセスする装置であって、
メモリと、プロセッサと、前記メモリに記憶され、前記プロセッサで実行可能なコンピュータプログラムとを備え、前記コンピュータプログラムが前記プロセッサによって実行されると、請求項１〜１１のいずれか一項に記載の方法のステップが実現される、装置。
【請求項４２】
メモリと、プロセッサと、前記メモリに記憶され、前記プロセッサで実行可能なコンピュータプログラムとを備え、前記コンピュータプログラムが前記プロセッサによって実行されると、請求項１２〜２０のいずれか一項に記載の方法のステップが実現される、中継装置。
【請求項４３】
プロセッサによって実行されると、請求項１〜１１のいずれか一項に記載の方法のステップ又は請求項１２〜２０のいずれか一項に記載の方法のステップが実現される、コンピュータプログラムが記憶されたコンピュータ読み取り可能な記憶媒体。  
【発明の詳細な説明】
【技術分野】
【０００１】
本出願は、2018年04月03日に提出された、出願番号が201810295818.9である中国特許出願を基礎とする優先権を主張し、その内容の全てが参照によって本出願に取り込まれる。
【０００２】
本開示は、通信分野に関し、特に、中継リソースの設定方法及び装置に関する。
【背景技術】
【０００３】
中継（Ｒｅｌａｙ）技術は、基地局と端末の間に１つ又は複数の中継ノードを追加し、無線信号を１回又は複数回転送する役割を担っている。即ち、無線信号が端末に到達するにはマルチホップを経由することが必要である。比較的簡単な２ホップ中継を例にとると、基地局−端末リンクを、基地局−中継局と中継局−端末との２つのリンクに分割することで、品質が比較的低い１つのリンクを品質が比較的良い２つのリンクに置き換え、より高いリンク容量とより良いカバレッジを得ることができる。
【０００４】
５Ｇ技術では、無線中継をバックホールとして用いることが検討されている。無線中継バックホール技術は、６ＧＨｚ以上の無線バックホールリンクを採用することも含む。ネットワークの周波数帯域が高いほど、無線バックホールの伝送距離が短くなる。複数の送信をよりよく達成するために、無線バックホールの間の距離はより短くなり、配置はより密になる。同一周波数配置において、どのように中継リソースを調整し、リソース衝突を回避するかは、早急に解決すべき技術的課題になっている。
【発明の概要】
【発明が解決しようとする課題】
【０００５】
本発明の実施形態は、中継装置の中継リソースを調整し、中継リソースの衝突を回避し、中継通信のロバスト性を向上させるために、中継リソースの設定方法及び装置を提供することを目的とする。
【課題を解決するための手段】
【０００６】
第１の態様では、中継リソースの設定方法が提供され、該方法は、
該中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを中継装置に送信するステップを含む。
【０００７】
第２の態様では、中継リソースの設定方法が提供され、該方法は、
中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを受信するステップと、
該中継リソース設定メッセージに基づいて、該中継装置のバックホール（ｂａｃｋｈａｕｌ）リソース及び／又はアクセスリンク（ａｃｃｅｓｓ  ｌｉｎｋ）リソースを設定するステップとを含む。
【０００８】
第３の態様では、中継装置がアクセスする装置が提供され、当該装置は、
該中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを該中継装置に送信するための第１の送信モジュールを備える。
【０００９】
第４の態様では、中継装置が提供され、該中継装置は、
該中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを受信する受信モジュールと、
該中継リソース設定メッセージに基づいて、該中継装置のバックホール（ｂａｃｋｈａｕｌ）リソース及び／又はアクセスリンク（ａｃｃｅｓｓ  ｌｉｎｋ）リソースを設定する設定モジュールとを備える。
【００１０】
第５の態様では、中継装置がアクセスする装置が提供され、当該装置は、プロセッサと、メモリと、前記メモリに記憶され、前記プロセッサで実行可能なコンピュータプログラムとを備え、前記コンピュータプログラムが前記プロセッサによって実行されると、第１の態様による方法のステップが実現される。
【００１１】
第６の態様では、プロセッサと、メモリと、前記メモリに記憶され、前記プロセッサで実行可能なコンピュータプログラムとを備える中継装置が提供され、前記コンピュータプログラムは、前記プロセッサによって実行されると、第１の態様による方法のステップが実現される。
【００１２】
第７の態様では、プロセッサによって実行されると、第１の態様による方法のステップが実現されるコンピュータプログラムが記憶されたコンピュータ読み取り可能な記憶媒体が提供される。
【００１３】
第８の態様では、プロセッサによって実行されると、第２の態様による方法のステップが実現されるコンピュータプログラムが記憶されたコンピュータ読み取り可能な記憶媒体が提供される。
【００１４】
本発明の実施形態では、中継装置の中継リソースを設定するために中継装置に中継リソース設定メッセージを送信することにより、中継装置の中継リソース衝突を回避し、中継通信のロバスト性を向上させることができる。
【００１５】
ここで説明する図面は、本開示に対する理解を深めるためのものであり、本開示の一部を構成する。本開示の例示的な実施形態及びその説明は、本開示を説明するためのものであり、本開示を不当に限定するものではない。図面では：
【図面の簡単な説明】
【００１６】
【図１】本開示の一実施形態の応用シナリオの概略図である。
【図２】本開示の一実施形態におけるＩＡＢとＤＩＡＢとの間の通信のシナリオの概略図である。
【図３】本開示の別の実施形態におけるＩＡＢとＤＩＡＢとの間の通信のシナリオの概略図である。
【図４】本開示のさらに別の実施形態におけるＩＡＢとＤＩＡＢとの間の通信のシナリオの概略図である。
【図５】本開示のさらに別の実施形態におけるＩＡＢとＤＩＡＢとの間の通信のシナリオの概略図である。
【図６】本開示のさらに別の実施形態におけるＩＡＢとＤＩＡＢとの間の通信のシナリオの概略図である。
【図７】本開示の一実施形態における中継リソースの設定方法のフローチャートである。
【図８】本開示の一実施形態における中継リソースの設定方法のフローチャートである。
【図９】本開示の一実施形態における装置の概略構造図である。
【図１０】本開示の一実施形態における中継装置の概略構造図である
【図１１】本開示の実施形態で適用される装置の構造図である。
【図１２】本開示の実施形態で適用される中継装置の構造図である。
【発明を実施するための形態】
【００１７】
以下、本開示の実施例における図面を参照しながら、本開示の実施例における技術案を、明確かつ完全に説明するが、勿論、ここに説明される実施例は、あくまで本開示の実施例の一部であり、本開示の全ての実施例ではない。本開示の実施例に基づいて、当業者が格別の創意がなく容易に想到できる他のすべての実施例は、本開示の権利範囲に属するものとする。
【００１８】
本開示の技術案は、例えば、グローバルモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）、コード分割複信アクセス（Ｃｏｄｅ  Ｄｉｖｉｓｉｏｎ  Ｍｕｌｔｉｐｌｅ  Ａｃｃｅｓｓ，ＣＤＭＡ）システム、広帯域符号分割複信アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ(登録商標)）、汎用パケット無線サービス（Ｇｅｎｅｒａｌ  Ｐａｃｋｅｔ  Ｒａｄｉｏ  Ｓｅｒｖｉｃｅ，ＧＰＲＳ）、ロング・ターム・エボリューション（Ｌｏｎｇ  Ｔｅｒｍ  Ｅｖｏｌｕｔｉｏｎ，ＬＴＥ）／ロング・ターム・エボリューションアドバンスド（Ｌｏｎｇ  Ｔｅｒｍ  Ｅｖｏｌｕｔｉｏｎ  ａｄｖａｎｃｅｄ、ＬＴＥ−Ａ）、ＮＲ（Ｎｅｗ  Ｒａｄｉｏ）等の様々な通信システムに適用することができる。
【００１９】
以下、図面を参照しながら、本開示の各実施例によって提供される技術案について詳細に説明する。
【００２０】
中継が存在する通信では、基地局と端末装置間の通信は、１回以上の転送を経る必要があり、すなわち、無線信号は、基地局から端末装置に、又は端末装置から大型基地局に到着するために、マルチホップを経る必要がある。図１は、本開示の一実施形態の応用シナリオの概略図である。図１に示すように、図１のＵＥの無線信号は、図１のドナー（Ｄｏｎｏｒ）ネットワーク装置に到達するためには、中継５、中継４、中継２を経由する必要があり、ドナー（Ｄｏｎｏｒ）ネットワーク装置は、中継装置がコアネットワークにアクセスするための装置であり、中継装置の基地局と理解されてもよい。
【００２１】
ＩＡＢは、アクセスのために定義された既存の機能及びインターフェースの利用を重んじる。具体的には、モバイル・ターミネーション（Ｍｏｂｉｌｅ−Ｔｅｒｍｉｎａｔｉｏｎ、ＭＴ）、ｇＮＢ−ＤＵ、ｇＮＢ−ＣＵ、ＵＰＦ、ＡＭＦ及びＳＭＦ、並びに対応するインターフェースＮＲ  Ｕｕ（ＭＴとｇＮＢの間）、Ｆ１、ＮＧ、Ｘ２、Ｎ４が、ＩＡＢネットワーク構造の基本モジュールとして用いられる。
【００２２】
モバイル端末（ＭＴ）機能は、モバイル装置の一部として定義されている。本開示では、ＭＴは、ＩＡＢノードに在圏する機能と呼ばれ、該機能はＤＩＡＢ又は他のＩＡＢノード向けのバックホールＵｕインターフェースの無線インターフェース層を終端するために用いられる。
【００２３】
本開示のＩＡＢネットワーク構造では、ＤＩＡＢは、１組の関数を含む単一の論理ノードとみなされる。単一ノード表現は、ＤＩＡＢが分散型エンティティ又は集約型エンティティに分割されることを排除しない。
【００２４】
当然ながら、本開示の実施形態では、ＩＡＢは、スタンドアロン型ＩＡＢ装置であってもよく、又は分散型エンティティ或いは集約型エンティティに分割されてもよく、ＤＩＡＢは、スタンドアロン型ＤＩＡＢ装置であってもよく、又は分散型エンティティ或いは集約型エンティティに分割されてもよい。
【００２５】
図２は本開示の一実施形態におけるＩＡＢとＤＩＡＢとの間の通信のシナリオの概略図である。図２に示すように、ＩＡＢはドナー基地局（ＤＩＡＢ）と無線インターフェースで通信し、ＩＡＢとＩＡＢの間は無線インターフェースで通信する。図２に示すシナリオにおいて、Ｆ１−Ｕのバックホールは、適合層を使用するか、又は適合層に結合されたＧＴＰ−Ｕを使用する。さらに、中間ノード間のホップバイホップの転送は、適合層を使用する。
【００２６】
図３は本開示の別の実施形態におけるＩＡＢとＤＩＡＢとの間の通信のシナリオの概略図である。図３に示すように、ＩＡＢはドナー基地局（ＤＩＡＢ）と無線インターフェースで通信し、ＩＡＢとＩＡＢの間は無線インターフェースで通信する。図３に示すシナリオにおいて、Ｆ１−Ｕ又はＮＧ−Ｕからアクセスノードへのバックホールは、ＧＴＰ−Ｕ／ＵＤＰ／ＩＰを使用する。さらに、中間ノード間のホップバイホップの転送は、ＰＤＵセッション層のルーティングを用いる。
【００２７】
図４は本開示のさらに別の実施形態におけるＩＡＢとＤＩＡＢとの間の通信のシナリオの概略図である。図４に示すように、ＩＡＢはドナー基地局（ＤＩＡＢ）と無線インターフェースで通信し、ＩＡＢとＩＡＢの間は無線インターフェースで通信する。図４に示すシナリオにおいて、ＮＧ−Ｕからアクセスノードへのバックホールは、ＧＴＰ−Ｕ／ＵＤＰ／ＩＰを使用する。さらに、中間ノード間のホップバイホップの転送は、ＰＤＵセッション層のルーティングを用いる。
【００２８】
図５は本開示のさらに別の実施形態におけるＩＡＢとＤＩＡＢとの間の通信のシナリオの概略図である。図５に示すように、ＩＡＢはドナー基地局（ＤＩＡＢ）と無線インターフェースで通信し、ＩＡＢとＩＡＢの間は無線インターフェースで通信する。図５に示すシナリオにおいて、ＮＧ−Ｕからアクセスノードへのバックホールは、ＧＴＰ−Ｕ／ＵＤＰ／ＩＰを使用する。さらに、中間ノード間のホップバイホップの転送は、ＰＤＵセッション層のルーティングを用いる。
【００２９】
図６は本開示のさらに別の実施形態におけるＩＡＢとＤＩＡＢとの間の通信のシナリオの概略図である。図６に示すように、ＩＡＢはドナー基地局（ＤＩＡＢ）と無線インターフェースで通信し、ＩＡＢとＩＡＢの間は無線インターフェースで通信する。図６に示すシナリオにおいて、ＮＧ−Ｕからアクセスノードへのバックホールは、ＧＴＰ−Ｕ／ＵＤＰ／ＩＰを使用する。さらに、中間ノード間のホップバイホップの転送は、ＰＤＵセッション層のルーティングを用いる。
【００３０】
無論、前述の図１〜図６は、本開示の実施形態の技術案の一部の応用シナリオに過ぎず、本開示の実施形態の技術案の応用シナリオは、これに限定されない。
【００３１】
以下、本発明の実施形態の方法について、図１〜図６を参照しながら説明する。
【００３２】
図７は本開示の一実施形態における中継リソースの設定方法のフローチャートである。図７に示す方法は、中継装置のアクセス対象装置に適用される。図７の方法は、
中継装置に中継リソース設定メッセージを送信するステップＳ７１０を含む。
【００３３】
ここで、該中継リソース設定メッセージは、該中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ。
【００３４】
本開示の実施形態では、中継装置に中継リソース設定メッセージを送信することによって、中継装置の中継リソースの正常な設定及び使用を保証し、中継装置のネットワークリソースの輻輳及び干渉を回避し、中継通信のロバスト性を向上させることができる。
【００３５】
該中継リソース設定メッセージは、無線リソース制御（Ｒａｄｉｏ  Ｒｅｓｏｕｒｃｅ  Ｃｏｎｔｒｏｌ，ＲＲＣ）又は媒体アクセス制御レイヤ（Ｍｅｄｉａ  Ａｃｃｅｓｓ  Ｃｏｎｔｒｏｌ，ＭＡＣ）の制御要素（Ｃｏｎｔｒｏｌ  Ｅｌｅｍｅｎｔ，ＣＥ）を介して中継装置に送信することができる。
【００３６】
該時間窓リソースは、時間窓インデックス又は時間窓ビットマップによって指示される。例えば、中継装置に割り当てられた時間窓のインデックスが指示され、又は、例えば、時間窓ビットマップ（ｂｉｔｍａｐ）によって中継装置がどんな時間窓リソースでは利用可能であるかが指示される。ここで、時間窓ビットマップで１にセットされたビットに対応する時間窓は、中継装置が利用可能な時間窓リソースである。
【００３７】
任意選択的に、いくつかの実施形態では、該対象装置は、スタンドアロン型ドナーアクセスバックホール統合（Ｄｏｎｏｒ  Ｉｎｔｅｇｒａｔｅｄ  Ａｃｃｅｓｓ  ａｎｄ  Ｂａｃｋｈａｕｌ、ＤＩＡＢ）装置であり、該中継装置は、スタンドアロン型アクセスバックホール統合（Ｉｎｔｅｇｒａｔｅｄ  Ａｃｃｅｓｓ  ａｎｄ  Ｂａｃｋｈａｕｌ、ＩＡＢ）装置である。例えば、該対象装置は図１に示す実施形態のドナー（Ｄｏｎｏｒ）ネットワーク装置であり、中継装置は中継２であってもよい。
【００３８】
任意選択的に、いくつかの実施形態では、該対象装置は、ＩＡＢの集約ユニット（Ｃｅｎｔｒａｌｉｚｅｄ  Ｕｎｉｔ、ＣＵ）であり、該中継装置は、該ＩＡＢの分散ユニット（Ｄｉｓｔｒｉｂｕｔｅｄ  Ｕｎｉｔ、ＤＵ）である。
【００３９】
任意選択的に、いくつかの実施形態では、該対象装置は、ＤＩＡＢのＣＵであり、該中継装置は該ＤＩＡＢのＤＵである。
【００４０】
任意選択的に、いくつかの実施形態では、該対象装置は、ＤＩＡＢのＣＵであり、該中継装置は該ＤＩＡＢにアクセスするＩＡＢ内のＣＵである。
【００４１】
当然ながら、前述の対象装置がＤＩＡＢのＣＵである実施形態では、ステップＳ７１０の前に、該方法はさらに、該ＤＩＡＢのＩＡＢによって報告された中継リソース要求情報に基づいて、該ＤＩＡＢのＤＵの中継リソース及び／又は該ＤＩＡＢのＩＡＢの中継リソースを決定するステップを含むことができる。
【００４２】
このとき、ＤＩＡＢのＣＵは、ＩＡＢから報告された中継リソース要求情報に基づいて、ＤＩＡＢの管轄下にある中継装置の中継リソースの割り当てをネゴシエートし、割り当て済みの中継リソースを中継リソース設定メッセージを通じて該ＤＩＡＢのＤＵと、該ＤＩＡＢのＩＡＢの下のＣＵとに送信してもよい。
【００４３】
任意選択的に、いくつかの実施形態では、中継リソース設定メッセージを送信する送信時間リソースは、該中継リソース設定メッセージによって設定された最初の時間リソースよりも前にあり、かつ該送信時間リソースと該最初の時間リソースとの間の時間間隔は、バックホール遅延と該中継装置の内部処理遅延とに基づいて決定される。
【００４４】
さらに、いくつかの実施形態では、該バックホール遅延は、該対象装置及び／又は該中継装置の評価によって決定される。
【００４５】
なお、該中継装置の内部処理遅延は、該中継装置の内部処理能力やアルゴリズム等によって決定される。
【００４６】
また、該バックホール遅延は、対象装置の評価によって決定されてもよいし、中継装置の評価によって決定されてもよいし、又は対象装置と中継装置との共同評価によって決定されてもよい。
【００４７】
任意選択的に、いくつかの実施形態では、該中継装置のバックホールリソースは、
時間窓内の該対象装置から該中継装置へのバックホールリソースと、
時間窓内の該中継装置から該対象装置へのバックホールリソースとのうち、少なくとも１つを含む。
【００４８】
中継リソース設定メッセージ中のバックホールリソース情報に基づいて、中継装置は、中継装置のバックホールリソースを設定することができる。
【００４９】
任意選択的に、いくつかの実施形態では、該中継装置のアクセスリンクリソースは以下を含む：
時間窓内のバックホール送信用と指示されていないリソース、
該中継装置にアクセスする端末装置から該中継装置へのアクセスリンクリソース、
該中継装置から該中継装置にアクセスする端末装置へのアクセスリンクリソース、
該中継装置にアクセスする下位中継装置から該中継装置へのバックホールリソース、
該中継装置から該下位中継装置へのバックホールリソース。
【００５０】
中継リソース設定メッセージ中のアクセスリンクリソース情報に基づいて、中継装置は、中継装置のアクセスリンクリソースを設定することができる。
【００５１】
任意選択的に、いくつかの実施形態では、該中継リソース設定メッセージで設定された第１のリソースのキャリアタイプが周波数分割複信（Ｆｒｅｑｕｅｎｃｙ  Ｄｉｖｉｓｉｏｎ  Ｄｕｐｌｅｘ、ＦＤＤ）下りキャリアである場合、該中継リソース設定メッセージは、該第１のリソースの時間領域リソースが下りバックホール時間領域リソース、又は下り非バックホール時間領域リソースであることをさらに指示する。
【００５２】
又は、任意選択的に、いくつかの実施形態では、該中継リソース設定メッセージで設定された第２のリソースのキャリアタイプがＦＤＤ上りキャリアである場合、該中継リソース設定メッセージは、該第２のリソースの時間領域リソースが上りバックホール時間領域リソース、又は上り非バックホール時間領域リソースであることをさらに指示する。
【００５３】
又は、任意選択的に、いくつかの実施形態では、該中継リソース設定メッセージで設定された第３のリソースのキャリアタイプが時分割複信（Ｔｉｍｅ  Ｄｉｖｉｓｉｏｎ  Ｄｕｐｌｅｘ、ＴＤＤ）キャリアである場合、該中継リソース設定メッセージは、該第３のリソースの時間領域リソースが上りバックホール時間領域リソース、下りバックホール時間領域リソース、又は非バックホール時間領域リソースであることをさらに指示する。
【００５４】
さらに、いくつかの実施形態では、該中継リソース設定メッセージは該第３のリソースの時間領域リソースが非バックホール時間領域リソースであることを指示する場合、該中継リソース設定メッセージは、該第３のリソースが下り非バックホール時間領域リソース、上り非バックホール時間領域リソース、又は上り下り可変非バックホール時間領域リソースであることをさらに指示する。
【００５５】
任意選択的に、いくつかの実施形態では、該時間窓は、該中継装置に予め割り当てられる。
【００５６】
又は、任意選択的に、いくつかの実施形態では、該時間窓は、該対象装置によって該中継装置のために設定される。
【００５７】
任意選択的に、いくつかの実施形態では、ステップＳ７１０の後に、該方法はさらに、
ＲＲＣ又はＭＡＣ  ＣＥにより、該中継装置の利用可能な時間窓リソースを再設定するための時間窓再設定メッセージを、該中継装置に送信するステップを含み、
該時間窓リソースは、時間窓インデックス又は時間窓ビットマップによって指示される。
【００５８】
時間窓再設定メッセージを中継装置に送信することによって、中継装置が利用可能な時間窓リソースを再調整することができる。
【００５９】
以下、具体的な実施例を参照して説明する：
実施例１：
ＩＡＢネットワークは、１つのＣＵと複数のＤＵとを含み、該ＣＵはＤＩＡＢであり、該ＤＵはＩＡＢであり、ＤＩＡＢとＩＡＢは、いずれも独立した基地局である。
【００６０】
本開示の実施形態では、ＣＵは、ＩＡＢネットワーク中の各ＤＵのリソースを設定し、かつＤＵに送信することができる。該設定されたリソースは、時間領域リソースと周波数リソースとを含む。
【００６１】
たとえば、ＣＵは、シグナリングを通じてＤＵにバックホール送信用のリソースセットを予め指示することができる。
【００６２】
該シグナリングは、ＰＤＣＣＨ又はＬ２シグナリング、たとえばＭＡＣ−ＣＥシグナリング又はＲＲＣシグナリングなどであり得る。シグナリングに含まれるリソースは、リソースインデックス又はリソースビットマップで指示することができる。
【００６３】
たとえば、該シグナリングは、将来の１つの時間窓内のバックホール送信用の時間リソース（ｔｉｍｅ  ｒｅｓｏｕｒｃｅ）のセットを指示ことができ、以下の少なくとも１つを含む：
下りバックホール時間リソース（ＤＬ  ｂａｃｋｈａｕｌ  ｔｉｍｅ  ｒｅｓｏｕｒｃｅ）、すなわち、ＤＵがＤＬバックホール時間リソースセット内においてＣＵの信号を受信する必要があり、
上りバックホール時間リソース（ＵＬ  ｂａｃｋｈａｕｌ  ｔｉｍｅ  ｒｅｓｏｕｒｃｅ）、すなわち、ＤＵはＵＬバックホール時間リソースセット内においてＣＵに信号を送ることが許され、
時間窓（ｔｉｍｅ  ｗｉｎｄｏｗ）内のバックホール送信用と指示されていない時間リソースセット。バックホール送信用と指示されていない時間リソースセットについて、ＤＵはＣＵと送受信を行う必要はない。
【００６４】
当然ながら、上記シグナリングは、以下の少なくとも１つの内容をさらに指示することもできる：
１つのＦＤＤ  ＤＬキャリア（ｃａｒｒｉｅｒ）に対して、ＣＵは、１つの時間リソースがＤＬバックホール又はＤＬ非バックホールであることを指示することができ、
１つのＦＤＤ  ＤＬキャリアに対して、ドナーｇＮＢは、時間リソースがＵＬバックホール又はＵＬ非バックホールであることを指示することができ、
１つのＴＤＤキャリアに対して、ＣＵは、１つの時間リソースがＤＬバックホール、又はＵＬバックホール、あるいは非バックホールであることを指示することができる。
【００６５】
特に、１つの非バックホール時間リソースに対して、ＣＵは、該時間リソースがＤＬ時間リソース、又はＵＬ時間リソース、あるいはＤＬ／ＵＬ可変時間リソースであることをさらに指示することができる。
【００６６】
当然ながら、上述の時間窓は、例えば、１つ又は複数の無線フレーム（ｒａｄｉｏ  ｆｒａｍｅ）周期に等しくなるよう予め定義されてＤＵに設定されてもよく、又はＣＵからＤＵに設定されてもよい。
【００６７】
さらに、時間窓の再設定が必要な場合、ＣＵは、ＲＲＣ又はＭＡＣ  ＣＥシグナリングによりＤＵに指示することができる。指示の方式は、時間窓インデックス又は時間窓ビットマップに基づくことができる。
【００６８】
さらに、バックホール遅延とＤＵの内部処理遅延に基づいて、ＤＵは、１つの時間リソースが、ＤＬバックホール、又はＵＬバックホール、あるいは非バックホールに使用されるかを、Ｘ時間（Ｘの単位はｓｌｏｔ又はｓｙｍｂｏｌ）早く知ることが必要である。
【００６９】
このうち、ＤＵ処理時間はＤＵによって評価され、バックホール時間遅延は、ＣＵ及び／又はＤＵによって評価される。
【００７０】
当然ながら、ＣＵは、ビットマップ方法を使用する場合、ＭＢＦＳＮサブフレーム設定方法に類似した方法を採用する。ＣＵは、時間リソース及び時間窓を離散ビットマップに設定し、ＭＡＣ−ＣＥ又はＲＲＣシグナリングを使用してＤＵに送信する。
【００７１】
前述の方法は、バックホールの時間リソースのみを設定しているが、具体的な応用において、バックホールの周波数領域リソースを設定することもでき、又はバックホールの時間リソースと周波数領域リソースを同時に設定することもでき、本開示の実施例はこれに限定されない。
【００７２】
それに応じて、ＤＵは、ＣＵによって送信されたシグナリングから、ＤＵとＵＥとの間のインターフェース（ａｃｃｅｓｓ  ｌｉｎｋ）に使用できる時間リソースセット、又はＤＵと該ＤＵにアクセスする下位ＤＵとの間のインターフェースの時間リソースセットを認識することができる。
【００７３】
たとえば、１つのＦＤＤ  ＤＬキャリアでは、１つのＤＬ非バックホール時間リソースは、ＤＵが自身によってサービスされるＵＥにＤＬ信号を送るために使用されてもよい。
【００７４】
たとえば、１つのＦＤＤ  ＵＬキャリアでは、１つのＵＬ非バックホール時間リソースは、ＤＵが自身によってサービスされるＵＥから送信されるＵＬ信号を受信するために使用されてもよい。
【００７５】
たとえば、１つのＴＤＤキャリアでは、ＤＵは、１つの非バックホール時間リソースをアクセスリンクＤＬ送信、又はアクセスリンクＵＬ送信のために使用することを自ら決定することができる。
【００７６】
さらに、任意選択的に、ＤＵは、シグナリング通知に基づいて、１つの非バックホール時間リソースをアクセスリンクＤＬ送信又はアクセスリンクＵＬ送信のために使用することを決定することもできる。
【００７７】
当然ながら、ＤＵがビットマップ指示をサポートする場合、ＤＵは、ＣＵがビットマップで１にセットされたビットに従って、使用可能な時間リソース及び時間窓を取得することができる。この使用可能な時間リソースと時間窓は、バックホール及びアクセスリンクリソースを含むように設定される。
【００７８】
実施例２：
ＤＩＡＢはＣＵと少なくとも１つのＤＵを含み、ＩＡＢはＣＵと少なくとも１つのＤＵを含む。
【００７９】
ここで、ＤＩＡＢは時間リソースセットと時間窓のリソースをまとめて設定し、かつＤＩＡＢのＤＵｓと他のＩＡＢのＣＵに送信する。各ＩＡＢのＣＵは、対応するＩＡＢの下のＤＵに送信される。ＤＩＡＢがＤＩＡＢのＤＵｓにリソースを設定する方法、ＤＩＡＢが他のＩＡＢのＣＵにリソースを設定する方法、及びＩＡＢのＣＵが対応するＩＡＢの下のＤＵにリソースを設定する方法は、前の実施例の設定と同様であり、その説明は繰り返しない。
【００８０】
任意選択的に、ＤＡＩＢは、まずＩＡＢと時間リソースと時間窓リソースをネゴシエートすることができる。例えば、ＤＡＩＢは、各ＩＡＢ下のＤＵのリソース要求状況に基づいて設定する。そして、ＩＡＢとＤＩＡＢの各々は、関連するＤＵに設定されたリソースを送信する。
【００８１】
当然ながら、上記の特定の実施例１及び２における中継リソースは時間リソースと時間窓リソースのみを例としているが、実際の応用では中継リソースは周波数領域のリソース、エアインターフェースのリソースなどを含んでもよい。本開示の実施形態は、これに限定されない。
【００８２】
図８は本開示の一実施形態における中継リソースの設定方法のフローチャートである。この方法は、中継装置に適用される。図８に示すように、本方法は以下のステップを含む：
Ｓ８１０：中継装置の時間窓リソース情報、バックホールリソース情報、及びアクセスリンクリソース情報のうちの少なくとも一種を含む中継リソース設定メッセージを受信するステップ、
Ｓ８２０：該中継リソース設定メッセージに基づいて、該中継装置のバックホールリソース及び／又はアクセスリンクリソースを設定するステップ。
【００８３】
本発明の実施形態では、中継装置は、中継リソース設定メッセージを受信し、中継リソース設定メッセージに基づいて中継装置の中継リソースを設定することにより、中継装置の中継リソースの正常な設定と使用を保証し、中継装置のネットワークリソースの輻輳及び干渉を回避し、中継通信のロバスト性を向上させることができる。
【００８４】
任意選択的に、いくつかの実施形態では、該中継装置は、スタンドアロン型ＩＡＢ装置であり、該中継装置のアクセス対象装置は、該ＩＡＢ装置がアクセスするＤＩＡＢ装置である。
【００８５】
又は、任意選択的に、いくつかの実施形態では、該中継装置はＩＡＢの分散ユニットＤＵであり、該対象装置は該ＩＡＢの集約ユニットＣＵである。
【００８６】
又は、任意選択的に、いくつかの実施形態では、該中継装置はＤＩＡＢのＤＵであり、該対象装置はＤＩＡＢのＣＵである。
【００８７】
又は、任意選択的に、いくつかの実施形態では、該中継装置はＩＡＢ内のＣＵであり、該対象装置は該ＩＡＢがアクセスするＤＩＡＢのＣＵである。
【００８８】
任意選択的に、いくつかの実施形態では、該中継装置がＩＡＢ内のＣＵであり、該対象装置が該ＩＡＢがアクセスするＤＩＡＢのＣＵである場合、ステップＳ８１０の前に、該方法はさらに、
該対象装置が該対象装置におけるＤＵ及び／又はＩＡＢの中継リソースの設定を調整するための該ＩＡＢの中継リソース要求情報を、該対象装置に送信するステップを含む。
【００８９】
本開示の実施形態では、対象装置に中継リソース要求情報を送信することによって、対象装置に、中継装置の中継リソース要求に基づいて中継リソースを設定するように要求することができ、これによって、対象装置に、該対象装置におけるＤＵ及び／又はＩＡＢの中継リソースの設定を調整させることができる。
【００９０】
任意選択的に、いくつかの実施形態では、該中継装置のバックホールリソースは、
時間窓内の該対象装置から該中継装置へのバックホールリソースと、
時間窓内の該中継装置から該対象装置へのバックホールリソースとのうち、少なくとも１つを含む。
【００９１】
さらに、いくつかの実施形態では、ステップＳ８２０は、具体的に以下のように実施することができる：
該中継リソース設定メッセージが、時間窓内の該対象装置から該中継装置への第１のバックホールリソース情報を運ぶ場合、該第１のバックホールリソース情報に基づいて、中継装置の下りバックホールリソースを設定する。
【００９２】
又は、さらに、いくつかの実施形態では、ステップＳ８２０は、具体的に以下のように実施することができる：該中継リソース設定メッセージが、時間窓内の該中継装置から該対象装置への第２のバックホールリソース情報を運ぶ場合、該第２のバックホールリソース情報に基づいて、中継装置の上りバックホールリソースを設定する。
【００９３】
任意選択的に、いくつかの実施形態では、該中継装置のアクセスリンクリソースは、
時間窓内のバックホール送信用と指示されていないリソースと、
該中継装置にアクセスする端末装置から該中継装置へのアクセスリンクリソースと、
該中継装置から該中継装置にアクセスする端末装置へのアクセスリンクリソースと、
該中継装置にアクセスする下位中継装置から該中継装置へのバックホールリソースと
該中継装置から該下位中継装置へのバックホールリソースとを含む。
【００９４】
さらに、いくつかの実施形態では、ステップＳ８２０は、具体的に以下のように実施することができる：
該中継リソース設定メッセージが、時間窓内のバックホール送信用と指示されていないリソース情報を運ぶ場合、該時間窓内のバックホール送信用と指示されていないリソース情報に基づいて、中継装置のアクセスリンクリソースを設定する。
【００９５】
又は、任意選択的に、いくつかの実施形態では、ステップＳ８２０は、具体的に以下のように実施することができる：
該中継リソース設定メッセージが、該中継装置にアクセスする端末装置から該中継装置への第１のアクセスリンクリソース情報を運ぶ場合、該第１のアクセスリンクリソース情報に基づいて、該中継装置の上りアクセスリンクリソースを設定する。
【００９６】
又は、任意選択的に、いくつかの実施形態では、ステップＳ８２０は、具体的に以下のように実施することができる：
該中継リソース設定メッセージが、該中継装置から、該中継装置にアクセスする端末装置への第２のアクセスリンクリソース情報を運ぶ場合、該第２のアクセスリンクリソース情報に基づいて、該中継装置の下りアクセスリンクリソースを設定する。
【００９７】
又は、任意選択的に、いくつかの実施形態では、ステップＳ８２０は、具体的に以下のように実施することができる：
該中継リソース設定メッセージが、該中継装置にアクセスする下位中継装置から該中継装置への第３のバックホールリソース情報を運ぶ場合、該第３のバックホールリソース情報に基づいて、該下位中継装置の上りバックホールリソースを設定する。
【００９８】
又は、任意選択的に、いくつかの実施形態では、ステップＳ８２０は、具体的に以下のように実施することができる：
該中継リソース設定メッセージが、該中継装置から該下位中継装置への第４のバックホールリソース情報を運ぶ場合、該第４のバックホールリソース情報に基づいて、該下位中継装置の下りバックホールリソースを設定する。
【００９９】
さらに、いくつかの実施形態では、ステップＳ８２０は、具体的に以下のように実施することができる：
該中継リソース設定メッセージで設定された第１のリソースのキャリアタイプが周波数分割複信ＦＤＤ下りキャリアであり、かつ、該中継ソース設定メッセージが、さらに該第１のリソースの時間領域リソースが下りバックホール時間領域リソースであることを指示する場合、該第１のリソースを、該中継装置の下りバックホール時間領域リソースとして設定する。
【０１００】
又は、さらに、いくつかの実施形態では、ステップＳ８２０は、具体的に以下のように実施することができる：
該中継ソース設定メッセージで設定された第２のリソースのキャリアタイプが周波数分割複信ＦＤＤ下りキャリアであり、かつ、該中継ソース設定メッセージが、さらに該第２のリソースの時間領域リソースが下り非バックホール時間領域リソースであることを指示する場合、該第２のリソースを、該中継装置の下り非バックホール時間領域リソースとして設定する。
【０１０１】
又は、さらに、いくつかの実施形態では、ステップＳ８２０は、具体的に以下のように実施することができる：
該中継ソース設定メッセージで設定された第３のリソースのキャリアタイプがＦＤＤ上りキャリアであり、かつ該中継ソース設定メッセージが、さらに該第３のリソースの時間領域リソースが上りバックホール時間領域リソースであることを指示する場合、該第３のリソースを、該中継装置の上りバックホール時間領域リソースとして設定する。
【０１０２】
又は、さらに、いくつかの実施形態では、ステップＳ８２０は、具体的に以下のように実施することができる：
該中継ソース設定メッセージで設定された第４のリソースのキャリアタイプがＦＤＤ上りキャリアであり、かつ該中継ソース設定メッセージが、さらに該第４のリソースの時間領域リソースが上り非バックホール時間領域リソースであることを指示する場合、該第４のリソースを、該中継装置の上り非バックホール時間領域リソースとして設定する。
【０１０３】
又は、さらに、いくつかの実施形態では、ステップＳ８２０は、具体的に以下のように実施することができる：
該中継リソース設定メッセージで設定された第５のリソースのキャリアタイプが時分割複信ＴＤＤキャリアであり、かつ該中継リソース設定メッセージが、さらに該第５のリソースの時間領域リソースが上りバックホール時間領域リソースであることを指示する場合、該第５のリソースを、該中継装置の上りバックホール時間領域リソースとして設定する。
【０１０４】
又は、さらに、いくつかの実施形態では、ステップＳ８２０は、具体的に以下のように実施することができる：
該中継リソース設定メッセージで設定された第６のリソースのキャリアタイプが時分割複信ＴＤＤキャリアであり、かつ該中継リソース設定メッセージが、さらに該第６のリソースの時間領域リソースが下りバックホール時間領域リソースであることを指示する場合、該第６のリソースを、該中継装置の下りバックホール時間領域リソースとして設定する。
【０１０５】
又は、さらに、いくつかの実施形態では、ステップＳ８２０は、具体的に以下のように実施することができる：
該中継リソース設定メッセージで設定された第７のリソースのキャリアタイプが時分割複信ＴＤＤキャリアであり、かつ該中継リソース設定メッセージが、さらに該第７のリソースの時間領域リソースが非バックホール時間領域リソースであることを指示する場合、該第７のリソースを、該中継装置のアクセスリンク時間領域リソースとして設定する。
【０１０６】
特に、いくつかの実施形態では、ステップＳ８２０は、具体的に以下のように実施することができる：
該中継リソース設定メッセージが、該第７のリソースの時間領域リソースが非バックホール時間領域リソースであることを指示する場合、該第７のリソースを、該中継装置の下りアクセスリンク時間領域リソース、上りアクセスリンク時間領域リソース、又は、上り下り可変アクセスリンク時間領域リソースとして設定する。
【０１０７】
本開示の実施形態における中継装置が実行する方法は、ＩＡＢのＤＵが実施例１で実行する方法を参照することができ、又はＤＩＡＢのＤＵあるいはＩＡＢのＣＵが実施例２で実行する方法を実施ことができるので、その説明は省略する。
【０１０８】
図９は、本開示の一実施形態における装置９００の概略構造図である。この装置９００は、中継装置がアクセスする装置である。図９に示すように、装置９００は、
中継装置の時間窓リソース情報、バックホールリソース情報、及びアクセスリンクリソース情報のうち、少なくとも１つを運ぶ中継リソース設定メッセージを中継装置に送信するための第１の送信モジュール９１０を含むことができる。
【０１０９】
本開示の実施形態では、中継装置に中継リソース設定メッセージを送信することによって、中継装置の中継リソースの正常な設定及び使用を保証し、中継装置のネットワークリソースの輻輳及び干渉を回避し、中継通信のロバスト性を向上させることができる。
【０１１０】
任意選択的に、いくつかの実施形態では、該装置９００はスタンドアロン型ＤＩＡＢ装置であり、該中継装置はスタンドアロン型ＩＡＢ装置である。
【０１１１】
任意選択的に、いくつかの実施形態では、該装置９００はＩＡＢのＣＵであり、該中継装置は該ＩＡＢのＤＵである。
【０１１２】
任意選択的に、いくつかの実施形態では、該装置９００はＤＩＡＢのＣＵであり、該中継装置は該ＤＩＡＢのＤＵである。
【０１１３】
任意選択的に、いくつかの実施形態では、該装置９００はＤＩＡＢのＣＵであり、該中継装置は該ＤＩＡＢにアクセスするＩＡＢ内のＣＵである。
【０１１４】
任意選択的に、いくつかの実施形態では、該装置９００は、該ＤＩＡＢのＩＡＢによって報告された中継リソース要求情報に基づいて、該ＤＩＡＢのＤＵの中継リソース及び／又は該ＤＩＡＢのＩＡＢの中継リソースを決定する決定モジュール９２０を含むことができる。
【０１１５】
任意選択的に、いくつかの実施形態では、中継リソース設定メッセージを送信する送信時間リソースは、該中継リソース設定メッセージによって設定された最初の時間リソースよりも前にあり、かつ該送信時間リソースと該最初の時間リソースとの時間間隔は、バックホール遅延と該中継装置の内部処理遅延とに基づいて決定される。
【０１１６】
さらに、いくつかの実施形態では、該バックホール遅延は、該装置９００及び／又は該中継装置の評価によって決定される。
【０１１７】
なお、中継装置の内部処理遅延は、該中継装置の内部処理能力やアルゴリズム等によって決定される。
【０１１８】
また、該バックホール遅延は、装置９００の評価によって決定されてもよいし、中継装置の評価によって決定されてもよいし、又は装置と中継装置との共同評価によって決定されてもよい。
【０１１９】
任意選択的に、いくつかの実施形態では、該中継装置のバックホールリソースは、
時間窓内の該装置９００から該中継装置へのバックホールリソースと、
時間窓内の該中継装置から該装置９００へのバックホールリソースとのうちの少なくとも1種を含む。
【０１２０】
任意選択的に、いくつかの実施形態では、該中継装置のアクセスリンクリソースは、以下の少なくとも１つを含む：
時間窓内のバックホール送信用と指示されていないリソース、
該中継装置にアクセスする端末装置から中継装置へのアクセスリンクリソース、
該中継装置から該中継装置にアクセスする端末装置へのアクセスリンクリソース、
該中継装置にアクセスする下位中継装置から該中継装置へのバックホールリソース、
該中継装置から該下位中継装置へのバックホールリソース。
【０１２１】
任意選択的に、いくつかの実施形態では、該中継ソース設定メッセージで設定された第１のリソースのキャリアタイプがＦＤＤ下りキャリアである場合、該中継ソース設定メッセージは、該第１のリソースの時間領域リソースが下りバックホール時間領域リソース、又は下り非バックホール時間領域リソースであることさらに指示する。
【０１２２】
又は、任意選択的に、いくつかの実施形態では、該中継リソース設定メッセージで設定された第２のリソースのキャリアタイプがＦＤＤ上りキャリアである場合、該中継リソース設定メッセージは、該第２のリソースの時間領域リソースが上りバックホール時間領域リソース、又は上り非バックホール時間領域リソースであることをさらに指示する。
【０１２３】
又は、任意選択的に、いくつかの実施形態では、該中継リソース設定メッセージで設定された第３のリソースのキャリアタイプがＴＤＤキャリアである場合、該中継リソース設定メッセージは、該第３のリソースの時間領域リソースが上りバックホール時間領域リソース、下りバックホール時間領域リソース、又は非バックホール時間領域リソースであることをさらに指示する。
【０１２４】
さらに、いくつかの実施形態では、該中継リソース設定メッセージは該第３のリソースの時間領域リソースが非バックホール時間領域リソースであることを指示する場合、該中継リソース設定メッセージは、該第３のリソースが下り非バックホール時間領域リソース、上り非バックホール時間領域リソース、又は上り下り可変非バックホール時間領域リソースであることをさらに指示する。
【０１２５】
任意選択的に、いくつかの実施形態では、該時間窓は、該中継装置に予め割り当てられる。
【０１２６】
又は、任意選択的に、いくつかの実施形態では、該時間窓は、該装置９００によって該中継装置のために設定される。
【０１２７】
任意選択的に、いくつかの実施形態では、該装置９００は、ＲＲＣ又はＭＡＣ  ＣＥにより時間窓再設定メッセージを該中継装置に送信するための第２の送信モジュール９３０をさらに含むことができ、該時間窓再設定メッセージは該中継装置の利用可能な時間窓リソースを再設定するために使用され、
ここで、該時間窓リソースは、時間窓インデックス又は時間窓ビットマップによって指示される。
【０１２８】
本開示の実施例によって提供される装置は、図７の方法実施例における対象装置によって実施する各プロセスを実施することができ、かつＩＡＢのＣＵが実施例１で実行する方法を実施し、又はＤＩＡＢのＣＵが実施例２で実行する方法を実施することができる。本開示の実施例は、ここではその説明を省略する。
【０１２９】
図１０は、本発明の一実施形態における中継装置１０００の概略構造図である。図１０に示すように、中継装置１０００は：
該中継装置１０００の時間窓リソース情報、バックホールリソース情報、及びアクセスリンクリソース情報のうち、少なくとも１つを運ぶ中継リソース設定メッセージを受信する受信モジュール１０１０と、
該中継リソース設定メッセージに基づいて、該中継装置１０００のバックホールリソース及び／又はアクセスリンクリソースを設定する設定モジュール１０２０とを含むことができる。
【０１３０】
本発明の実施形態では、中継装置は、中継リソース設定メッセージを受信し、中継リソース設定メッセージに基づいて中継装置の中継リソースを設定することにより、中継装置の中継リソースの正常な設定と使用を保証し、中継装置のネットワークリソースの輻輳及び干渉を回避し、中継通信のロバスト性を向上させることができる。
【０１３１】
任意選択的に、いくつかの実施形態では、該中継装置１０００は、スタンドアロン型ＩＡＢ装置であり、該中継装置１０００のアクセス対象装置は、該ＩＡＢ装置がアクセスするＤＩＡＢ装置である。
【０１３２】
又は、任意選択的に、いくつかの実施形態では、該中継装置１０００はＩＡＢの分散ユニットＤＵであり、該対象装置は該ＩＡＢの集約ユニットＣＵである。
【０１３３】
又は、任意選択的に、いくつかの実施形態では、該中継装置１０００はＤＩＡＢのＤＵであり、該対象装置は該ＤＩＡＢのＣＵである。
【０１３４】
又は、任意選択的に、いくつかの実施形態では、該中継装置１０００はＩＡＢ中のＣＵであり、該対象装置は該ＩＡＢがアクセスするＤＩＡＢのＣＵである。
【０１３５】
任意選択的に、いくつかの実施形態では、該中継装置１０００がＩＡＢ中のＣＵであり、該対象装置が該ＩＡＢがアクセスするＤＩＡＢのＣＵである場合、該中継装置１０００は、該ＩＡＢの中継リソース要求情報を該対象装置に送信するための送信モジュール１０３０をさらに含み、該中継リソース要求情報は該対象装置が該対象装置の下のＤＵ及び／又はＩＡＢの中継リソースの設定を調整するために使用する。
【０１３６】
任意選択的に、いくつかの実施形態では、該中継装置１０００のバックホールリソースは、
時間窓内の該対象装置から該中継装置１０００へのバックホールリソースと、
時間窓内の該中継装置１０００から該対象装置へのバックホールリソースとのうち、少なくとも１つを含む。
【０１３７】
さらに、いくつかの実施形態では、設定モジュール１０２０は、具体的に以下のように用いることができる：
該中継リソース設定メッセージが、時間窓内の該対象装置から該中継装置１０００への第１のバックホールリソース情報を運ぶ場合、該第１のバックホールリソース情報に基づいて、中継装置の下りバックホールリソースを設定する。
【０１３８】
又は、さらに、いくつかの実施形態では、設定モジュール１０２０は、具体的に以下のように用いることができる：該中継リソース設定メッセージが、時間窓内の該中継装置１０００から該対象装置への第２のバックホールリソース情報を運ぶ場合、該第２のバックホールリソース情報に基づいて、中継装置の上りバックホールリソースを設定する。
任意選択的に、いくつかの実施形態では、該中継装置１０００のアクセスリンクリソースは、
時間窓内のバックホール送信用と指示されていないリソースと、
該中継装置１０００にアクセスする端末装置から該中継装置１０００へのアクセスリンクリソースと、
該中継装置１０００から該中継装置１０００にアクセスする端末装置へのアクセスリンクリソースと、
該中継装置１０００にアクセスする下位中継装置から該中継装置１０００へのバックホールリソースと、
該中継装置１０００から該下位中継装置へのバックホールリソースとを含む。
【０１３９】
さらに、いくつかの実施形態では、設定モジュール１０２０は、具体的には以下のように用いることができる：
該中継リソース設定メッセージが、時間窓内のバックホール送信用と指示されていないリソース情報を運ぶ場合、該時間窓内のバックホール送信用と指示されていないリソース情報に基づいて、中継装置のアクセスリンクリソースを設定する。
【０１４０】
又は、任意選択的に、いくつかの実施形態では、設定モジュール１０２０は、具体的に以下のように用いることができる：
該中継リソース設定メッセージが、該中継装置１０００にアクセスする端末装置から該中継装置１０００への第１のアクセスリンクリソース情報を運ぶ場合、該第１のアクセスリンクリソース情報に基づいて、該中継装置１０００の上りアクセスリンクリソースを設定する。
【０１４１】
又は、任意選択的に、いくつかの実施形態では、設定モジュール１０２０は、具体的に以下のように用いることができる：
該中継リソース設定メッセージが、該中継装置１０００から該中継装置１０００にアクセスする端末装置への第２のアクセスリンクリソース情報を運ぶ場合、該第２のアクセスリンクリソース情報に基づいて、該中継装置１０００の下りアクセスリンクリソースを設定する。
【０１４２】
又は、任意選択的に、いくつかの実施形態では、設定モジュール１０２０は、具体的に以下のように用いることができる：
該中継リソース設定メッセージが該中継装置１０００にアクセスする下位中継装置から該中継装置１０００への第３のバックホールリソース情報を運ぶ場合、該第３のバックホールリソース情報に基づいて、該下位中継装置の上りバックホールリソースを設定する。
【０１４３】
又は、任意選択的に、いくつかの実施形態では、設定モジュール１０２０は、具体的に以下のように用いることができる：
該中継リソース設定メッセージが該中継装置１０００から該下位中継装置への第４のバックホールリソース情報を運ぶ場合、該第４のバックホールリソース情報に基づいて、該下位中継装置の下りバックホールリソースを設定する。
【０１４４】
さらに、いくつかの実施形態では、設定モジュール１０２０は、具体的に以下のように用いることができる：
該中継リソース設定メッセージで設定された第１のリソースのキャリアタイプが周波数分割複信ＦＤＤ下りキャリアであり、かつ、該中継ソース設定メッセージが、該第１のリソースの時間領域リソースが下りバックホール時間領域リソースであることをさらに指示する場合、該第１のリソースを、該中継装置１０００の下りバックホール時間領域リソースとして設定する。
【０１４５】
又は、さらに、いくつかの実施形態では、設定モジュール１０２０は、具体的に以下のように用いることができる：
該中継ソース設定メッセージで設定された第２のリソースのキャリアタイプが周波数分割複信ＦＤＤ下りキャリアであり、かつ、該中継ソース設定メッセージが、該第２のリソースの時間領域リソースが下り非バックホール時間領域リソースであることをさらに指示する場合、該第２のリソースを、該中継装置１０００の下り非バックホール時間領域リソースとして設定する。
【０１４６】
又は、さらに、いくつかの実施形態では、設定モジュール１０２０は、具体的に以下のように用いることができる：
該中継ソース設定メッセージで設定された第３のリソースのキャリアタイプがＦＤＤ上りキャリアであり、かつ、該中継ソース設定メッセージが、該第３のリソースの時間領域リソースが上りバックホール時間領域リソースであることをさらに指示する場合、該第３のリソースを、該中継装置１０００の上りバックホール時間領域リソースとして設定する。
【０１４７】
又は、さらに、いくつかの実施形態では、設定モジュール１０２０は、具体的以下のように用いることができる：
該中継ソース設定メッセージで設定された第４のリソースのキャリアタイプがＦＤＤ上りキャリアであり、かつ該中継ソース設定メッセージが、該第４のリソースの時間領域リソースが上り非バックホール時間領域リソースであることをさらに指示する場合、該第４のリソースを、該中継装置１０００の上り非バックホール時間領域リソースとして設定する。
【０１４８】
又は、さらに、いくつかの実施形態では、設定モジュール１０２０は、具体的に以下のように用いることができる：
該中継リソース設定メッセージで設定された第５のリソースのキャリアタイプが時分割複信ＴＤＤキャリアであり、かつ該中継リソース設定メッセージが、さらに該第５のリソースの時間領域リソースが上りバックホール時間領域リソースであることを指示する場合、該第５のリソースを、該中継装置１０００の上りバックホール時間領域リソースとして設定する。
【０１４９】
又は、さらに、いくつかの実施形態では、設定モジュール１０２０は、具体的に以下のように用いることができる：
該中継リソース設定メッセージで設定された第６のリソースのキャリアタイプが時分割複信ＴＤＤキャリアであり、かつ該中継リソース設定メッセージが、該第６のリソースの時間領域リソースが下りバックホール時間領域リソースであることをさらに指示する場合、該第６のリソースを、該中継装置１０００の下りバックホール時間領域リソースとして設定する。
【０１５０】
又は、さらに、いくつかの実施形態では、設定モジュール１０２０は、具体的に以下のように用いることができる：
該中継リソース設定メッセージで設定された第７のリソースのキャリアタイプが時分割複信ＴＤＤキャリアであり、かつ該中継リソース設定メッセージが、該第７のリソースの時間領域リソースが非バックホール時間領域リソースであることをさらに指示する場合、該第７のリソースを、該中継装置１０００のアクセスリンク時間領域リソースとして設定する。
【０１５１】
特に、いくつかの実施形態では、設定モジュール１０２０は、具体的に以下のように用いることができる：
該中継リソース設定メッセージが、該第７のリソースの時間領域リソースが非バックホール時間領域リソースであることを指示する場合、該第７のリソースを、該中継装置１０００の下りアクセスリンク時間領域リソース、上りアクセスリンク時間領域リソース、又は上り下り可変アクセスリンク時間領域リソースとして設定する。
【０１５２】
本開示の実施例によって提供される中継装置１０００は、図８の方法実施例における中継装置によって実施する各プロセスを実施することができ、かつＩＡＢのＣＵが実施例１において実行する方法を実施し、又はＤＩＡＢのＣＵあるいはＩＡＢのＣＵが実施例２において実行する方法を実施することができる。本開示の実施例は、ここではその説明を省略する。
【０１５３】
図１１は、本開示の実施形態で適用される装置１１００の構造図であり、図７に示す実施形態の方法の詳細を実施し、同様の効果を達成することができる。該装置１１００は、中継装置がアクセスする装置である。図１１に示すように、装置１１００は、プロセッサ１１０１と、トランシーバ１１０２と、メモリ１１０３と、ユーザインターフェース１１０４と、バスインターフェースとを含み、ここで：
本開示の実施形態では、装置１１００は、メモリ１１０３に記憶され、プロセッサ１１０１上で実行可能なコンピュータプログラムを更に備え、コンピュータプログラムは、プロセッサ１１０１によって実行されると、以下のステップを実施する：
中継装置の時間窓リソース情報、バックホールリソース情報、及びアクセスリンクリソース情報のうち、少なくとも１つを運ぶ中継リソース設定メッセージを、中継装置に送信する。
【０１５４】
図１１において、バスアーキテクチャは、任意の数の相互接続されたバス及びブリッジを含むことができ、具体的には、プロセッサ１１０１によって表される１つ又は複数のプロセッサと、メモリ１１０３によって表されるメモリの各種回路を一緒にリンクして含むことができる。バスアーキテクチャはまた、周辺機器、電圧レギュレータ、電力管理回路など様々な他の回路を互いにリンクすることができ、それらは当技術分野において公知されており、したがって、本明細書ではこれ以上説明しない。バスインターフェースはインターフェースを提供する。トランシーバ１１０２は、送信機と受信機を含む複数の要素であってもよく、伝送媒体上で様々な他の装置と通信するためのユニットを提供する。異なるユーザ設備に対して、ユーザインターフェース１１０４はさらに、必要な設備を外部及び内部で接続できるインターフェースであってもよく、接続される設備には、キーパッド、ディスプレイ、スピーカ、マイクロフォン、ジョイスティックなどが含まれるが、これらに限定されない。
【０１５５】
プロセッサ１１０１は、バスアーキテクチャ及び一般的な処理を管理する役割を果たし、メモリ１１０３は、プロセッサ１１０１が動作を実行する際に使用されるデータを記憶することができる。
【０１５６】
本開示の実施形態では、中継装置に中継リソース設定メッセージを送信することによって、中継装置の中継リソースの正常な設定及び使用を保証し、中継装置のネットワークリソースの輻輳及び干渉を回避し、中継通信のロバスト性を向上させることができる。本開示の実施例は、コンピュータプログラムを記憶したコンピュータ読み取り可能な記憶媒体を更に提供し、該コンピュータプログラムは、プロセッサにより実行されると、上述した図７に示す方法実施例の各プロセスを実現し、且つ同様の技術的効果を達成することができる。重複説明を避けるため、ここではその説明を省略する。ここで、コンピュータ読み取り可能な記憶媒体は、例えば、読み取り専用メモリ（Ｒｅａｄ−Ｏｎｌｙ  Ｍｅｍｏｒｙ，略称ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスク等である。
【０１５７】
図１２は、本開示の実施例で適用される中継装置１２００の構造図であり、図８に示す実施例の方法の詳細を実現し、同様の効果を達成することができる。該装置１２００は、中継装置がアクセスする装置である。図１２に示すように、中継装置１２００は、プロセッサ１２０１と、トランシーバ１２０２と、メモリ１２０３と、ユーザインターフェース１２０４と、バスインターフェースとを備え、ここで、
本開示の実施形態では、中継装置１２００は、メモリ１２０３に記憶され、プロセッサ１２０１上で実行可能なコンピュータプログラムをさらに備え、コンピュータプログラムは、プロセッサ１２０１によって実行されると、以下のステップを実行する：
中継装置の時間窓リソース情報、バックホールリソース情報、及びアクセスリンクリソース情報のうち、少なくとも１つを運ぶ中継リソース設定メッセージを受信するステップ、
該中継リソース設定メッセージに基づいて、該中継装置のバックホールリソース及び／又はアクセスリンクリソースを設定するステップ。
【０１５８】
図１２において、バスアーキテクチャは、任意の数の相互接続されたバス及びブリッジを含むことができ、具体的には、プロセッサ１２０１によって表される１つ又は複数のプロセッサと、メモリ１２０３によって表されるメモリの各種回路を一緒にリンクして含むことができる。バスアーキテクチャはまた、周辺機器、電圧レギュレータ、電力管理回路など様々な他の回路を互いにリンクすることができ、それらは当技術分野において公知されており、したがって、本明細書ではこれ以上説明しない。バスインターフェースはインターフェースを提供する。トランシーバ１２０２は、送信機と受信機を含む複数の要素であってよく、伝送媒体上で様々な他の装置と通信するためのユニットを提供する。異なるユーザ設備に対して、ユーザインターフェース１２０４はさらに、必要な設備を外部及び内部で接続できるインターフェースであってもよく、接続される設備には、キーパッド、ディスプレイ、スピーカ、マイクロフォン、ジョイスティックなどが含まれるが、これらに限定されない。
【０１５９】
プロセッサ１２０１は、バスアーキテクチャ及び一般的な処理を管理する役割を果たし、メモリ１２０３は、プロセッサ１２０１が動作を実行する際に使用されるデータを記憶することができる。
【０１６０】
本開示の実施形態では、中継装置に中継リソース設定メッセージを送信することによって、中継装置の中継リソースの正常な設定及び使用を保証し、中継装置のネットワークリソースの輻輳及び干渉を回避し、中継通信のロバスト性を向上させることができる。本開示の実施例は、コンピュータプログラムを記憶したコンピュータ読み取り可能な記憶媒体を更に提供し、該コンピュータプログラムは、プロセッサにより実行されると、上述した図８に示す方法実施例の各プロセスを実現し、且つ同様の技術的効果を達成することができる。重複説明を避けるため、ここではその説明を省略する。ここで、コンピュータ読み取り可能な記憶媒体は、例えば、読み取り専用メモリ（Ｒｅａｄ−Ｏｎｌｙ  Ｍｅｍｏｒｙ，略称ＲＯＭ）、ランダムアクセスメモリ（Ｒａｎｄｏｍ  Ａｃｃｅｓｓ  Ｍｅｍｏｒｙ，略称ＲＡＭ）、磁気ディスク、又は光ディスク等である。
【０１６１】
本明細書において、用語「含む」、「備える」又はそれらの任意の他の変形形態は、非排他的な包含をカバーするように意図され、したがって、一連の要素を含むプロセス、方法、物品、又は装置は、それらの要素だけでなく、明示的に列挙されていない他の要素も含み、又はそのようなプロセス、方法、物品、又は装置に固有の要素も含む。これ以上の制限がない場合、「……を含む」という表現によって定義される要素は、その要素を含むプロセス、方法、物品、又は装置内に他の同一の要素がさらに存在することを除外しない。
【０１６２】
以上の実施形態の説明により、当業者は、上記実施形態の方法が、ソフトウェア及び必要な汎用ハードウェアプラットフォームによって実現でき、当然ながら、ハードウェアによっても実現できるが、前者がより好ましい実施形態である場合が多い、と明確に理解することができる。このような理解に基づいて、本開示の技術案の本質的な部分、換言すれば、従来技術に寄与する部分は、ソフトウェア製品の形で具現化することができ、該コンピュータソフトウェア製品は、記憶媒体（例えばＲＯＭ/ＲＡＭ、磁気ディスク、光ディスクなど）に記憶され、本開示の各実施例に記載された方法を端末（携帯電話、コンピュータ、サーバ、エアコン、又はネットワーク装置などであってよい）に実行させるためのいくつかの命令を含む。
【０１６３】
以上、図面を参照しながら本発明の実施例について説明したが、本開示は、上述の具体的な実施形態に限定されるものではなく、上述の具体的な実施形態は、単なる例示であって、限定的なものではなく、当業者は、本開示の教示を受けて、本発明の要旨及び特許請求の範囲から逸脱することなく、多くの形態を得ることができ、それらはすべて本開示の保護範囲内に含まれる。
【符号の説明】
【０１６４】
９００  装置
９１０  第１の送信モジュール
９２０  決定モジュール
９３０  第２の送信モジュール
１０００  中継装置
１０１０  受信モジュール
１０２０  設定モジュール
１０３０  送信モジュール
１１００  装置
１１０１  プロセッサ
１１０２  トランシーバ
１１０３  メモリ
１１０４  ユーザインターフェース
１２００  装置
１２００  中継装置
１２０１  プロセッサ
１２０２  トランシーバ
１２０３  メモリ
１２０４  ユーザインターフェース
【図１】
2021520134.tif 000003
【図２】
2021520134.tif 000004
【図３】
2021520134.tif 000005
【図４】
2021520134.tif 000006
【図５】
2021520134.tif 000007
【図６】
2021520134.tif 000008
【図７】
2021520134.tif 000009
【図８】
2021520134.tif 000010
【図９】
2021520134.tif 000011
【図１０】
2021520134.tif 000012
【図１１】
2021520134.tif 000013
【図１２】
2021520134.tif 000014
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
中継装置のアクセス対象装置における、中継リソースの設定方法であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを前記中継装置に送信するステップを含む、方法。
【請求項２】
前記対象装置がＤＩＡＢの集約ユニットＣＵである場合、中継装置に中継リソース設定メッセージを送信する前に、前記方法はさらに、
前記ＤＩＡＢのＩＡＢによって報告された中継リソース要求情報に基づいて、前記ＤＩＡＢのＤＵの中継リソース及び／又は前記ＤＩＡＢのＩＡＢの中継リソースを決定するステップを含む、請求項１に記載の方法。
【請求項３】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含み、または、
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと、
前記中継装置から前記下位中継装置へのバックホールリソースとのうち、少なくとも１つを含む、請求項１または２に記載の方法。
【請求項４】
前記中継リソース設定メッセージで設定された第１のリソースのキャリアタイプが周波数分割複信ＦＤＤ下りキャリアである場合、前記中継リソース設定メッセージは、前記第１のリソースの時間領域リソースが下りバックホール時間領域リソース、又は下り非バックホール時間領域リソースであることをさらに指示し、または、
前記中継リソース設定メッセージで設定された第２のリソースのキャリアタイプがＦＤＤ上りキャリアである場合、前記中継リソース設定メッセージは、前記第２のリソースの時間領域リソースが上りバックホール時間領域リソース、又は上り非バックホール時間領域リソースであることをさらに指示し、または、
前記中継リソース設定メッセージで設定された第３のリソースのキャリアタイプが時分割複信ＴＤＤキャリアである場合、前記中継リソース設定メッセージは、前記第３のリソースの時間領域リソースが上りバックホール時間領域リソース、下りバックホール時間領域リソース、又は非バックホール時間領域リソースであることをさらに指示する、請求項１〜３のいずれか一項に記載の方法。
【請求項５】
前記中継リソース設定メッセージが前記第３のリソースの時間領域リソースが非バックホール時間領域リソースであることを指示する場合、前記中継リソース設定メッセージは、前記第３のリソースが下り非バックホール時間領域リソース、上り非バックホール時間領域リソース、又は上り下り可変非バックホール時間領域リソースであることをさらに指示する、請求項４に記載の方法。
【請求項６】
中継装置における、中継リソースの設定方法であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを受信するステップと、
前記中継リソース設定メッセージに基づいて、前記中継装置のバックホール（ｂａｃｋｈａｕｌ）リソース及び／又はアクセスリンク（ａｃｃｅｓｓ  ｌｉｎｋ）リソースを設定するステップとを含む、方法。
【請求項７】
前記中継装置がＩＡＢ内のＣＵであり、対象装置が前記ＩＡＢがアクセスするＤＩＡＢのＣＵである場合、前記中継リソース設定メッセージを受信する前に、前記方法は、
前記対象装置が前記対象装置におけるＤＵ及び／又はＩＡＢの中継リソースの設定を調整するための前記ＩＡＢの中継リソース要求情報を、前記対象装置に送信するステップをさらに含む、請求項６に記載の方法。
【請求項８】
前記中継装置のバックホールリソースは、
時間窓内の前記対象装置から前記中継装置へのバックホールリソースと、
時間窓内の前記中継装置から前記対象装置へのバックホールリソースとのうち、少なくとも１つを含み、または、
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと
前記中継装置から前記下位中継装置へのバックホールリソースとのうち、少なくとも１つを含む、請求項６または７に記載の方法。
【請求項９】
中継装置がアクセスする装置であって、
前記中継装置の時間窓リソース情報、バックホール（ｂａｃｋｈａｕｌ）リソース情報、及びアクセスリンク（ａｃｃｅｓｓ  ｌｉｎｋ）リソース情報のうち、少なくとも１つを運ぶ中継リソース設定メッセージを前記中継装置に送信するための第１の送信モジュールを備える、装置。
【請求項１０】
前記装置がＤＩＡＢの集約ユニットＣＵである場合、中継装置に中継リソース設定メッセージを送信する前に、
前記ＤＩＡＢのＩＡＢによって報告された中継リソース要求情報に基づいて、前記ＤＩＡＢのＤＵの中継リソース及び／又は前記ＤＩＡＢのＩＡＢの中継リソースを決定する、請求項９に記載の装置。
【請求項１１】
前記中継装置のバックホールリソースは、
時間窓内の対象装置から前記中継装置へのバックホールリソースと、
時間窓内の前記中継装置から前記対象装置へのバックホールリソースとのうち、少なくとも１つを含み、または、
前記中継装置のアクセスリンクリソースは、
時間窓内のバックホール送信用と指示されていないリソースと、
前記中継装置にアクセスする端末装置から前記中継装置へのアクセスリンクリソースと、
前記中継装置から前記中継装置にアクセスする端末装置へのアクセスリンクリソースと、
前記中継装置にアクセスする下位中継装置から前記中継装置へのバックホールリソースと、
前記中継装置から前記下位中継装置へのバックホールリソースとのうち、少なくとも１つを含む、請求項９または１０に記載の装置。
【請求項１２】
前記中継リソース設定メッセージで設定された第１のリソースのキャリアタイプが周波数分割複信ＦＤＤ下りキャリアである場合、前記中継リソース設定メッセージは、前記第１のリソースの時間領域リソースが下りバックホール時間領域リソース、又は下り非バックホール時間領域リソースであることをさらに指示し、または、
前記中継リソース設定メッセージで設定された第２のリソースのキャリアタイプがＦＤＤ上りキャリアである場合、前記中継リソース設定メッセージは、前記第２のリソースの時間領域リソースが上りバックホール時間領域リソース、又は上り非バックホール時間領域リソースであることをさらに指示し、または、
前記中継リソース設定メッセージで設定された第３のリソースのキャリアタイプが時分割複信ＴＤＤキャリアである場合、前記中継リソース設定メッセージは、前記第３のリソースの時間領域リソースが上りバックホール時間領域リソース、下りバックホール時間領域リソース、又は非バックホール時間領域リソースであることをさらに指示する、請求項９〜１１のいずれか一項に記載の装置。
【請求項１３】
前記中継リソース設定メッセージが前記第３のリソースの時間領域リソースが非バックホール時間領域リソースであることを指示する場合、前記中継リソース設定メッセージは、前記第３のリソースが下り非バックホール時間領域リソース、上り非バックホール時間領域リソース、又は上り下り可変非バックホール時間領域リソースであることをさらに指示する、請求項１２に記載の装置。
【請求項１４】
中継装置の時間窓リソース情報、バックホールｂａｃｋｈａｕｌリソース情報、及びアクセスリンクａｃｃｅｓｓ  ｌｉｎｋリソース情報のうち、少なくとも１つを運ぶ中継リソース設定メッセージを受信する受信モジュールと、
前記中継リソース設定メッセージに基づいて、前記中継装置のバックホールｂａｃｋｈａｕｌリソース及び／又はアクセスリンクａｃｃｅｓｓ  ｌｉｎｋリソースを設定する設定モジュールとを備える、中継装置。
【請求項１５】
プロセッサによって実行されると、請求項１〜５のいずれか一項に記載の方法又は請求項６〜８のいずれか一項に記載の方法が実現される、コンピュータプログラムが記憶されたコンピュータ読み取り可能な記憶媒体。
【国際調査報告】
2021520134.tif 000015
2021520134.tif 000016
2021520134.tif 000017
2021520134.tif 000018